【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
複数のモニター用発光素子と、
前記複数のモニター用発光素子のそれぞれの一方の電極に電気的に接続された、モニター制御用トランジスタと、
前記モニター制御用トランジスタのゲートに出力端子が電気的に接続され、かつ前記モニター制御用トランジスタの一方の電極及び前記複数のモニター用発光素子のそれぞれに入力端子が電気的に接続されたインバータと、を有することを特徴とする発光装置。
【請求項２】
複数のトランジスタ及び複数の発光素子を有する画素部と、
前記複数の発光素子と同一工程により作製された複数のモニター用発光素子と、
前記複数のモニター用発光素子のそれぞれの一方の電極に電気的に接続された、モニター制御用トランジスタと、
前記モニター制御用トランジスタのゲートに出力端子が電気的に接続され、かつ前記モニター制御用トランジスタの一方の電極及び前記複数のモニター用発光素子のそれぞれに入力端子が電気的に接続されたインバータと、を有することを特徴とする発光装置。
【請求項３】
複数のトランジスタ及び複数の発光素子を有する画素部と、
前記複数の発光素子と同一工程により作製された複数のモニター用発光素子と、
前記複数のモニター用発光素子のそれぞれの一方の電極に電気的に接続された、モニター制御用トランジスタと、
前記モニター制御用トランジスタの他方の電極に電気的に接続されたモニター線と、
前記モニター制御用トランジスタのゲートに出力端子が電気的に接続され、かつ前記モニター制御用トランジスタの一方の電極及び前記複数のモニター用発光素子のそれぞれに入力端子が電気的に接続されたインバータと、を有することを特徴とする発光装置。
【請求項４】
複数のモニター用発光素子と、
前記複数のモニター用発光素子が有する電極の電位の変化をモニターするモニター線と、
前記複数のモニター用発光素子のそれぞれへ、前記モニター線からの電流供給を制御するためのモニター制御用トランジスタと、
前記複数のモニター用発光素子のいずれか一がショートするとき、モニター制御用トランジスタをオフするインバータと、を有することを特徴とする発光装置。
【請求項５】
複数のモニター用発光素子と、
前記複数のモニター用発光素子が有する電極の電位の変化をモニターするモニター線と、
前記モニター線へ一定電流を供給する手段と、
前記複数のモニター用発光素子のそれぞれへ、前記モニター線からの電流供給を制御するためのモニター制御用トランジスタと、
前記複数のモニター用発光素子のいずれか一がショートするときは、モニター制御用トランジスタをオフするインバータと、を有することを特徴とする発光装置。
【請求項６】
複数のモニター用発光素子と、
前記複数のモニター用発光素子が有する電極の電位の変化をモニターするモニター線と、
前記モニター線へ一定電流を供給する手段と、
前記複数のモニター用発光素子のそれぞれへ、前記モニター線からの電流供給を制御するためのモニター制御用トランジスタと、
前記モニター用発光素子の一方の電極とモニター制御用トランジスタの一方の電極が電気的に接続され、前記電気的に接続された電極の電位が入力され、出力が前記モニター制御用トランジスタのゲートに電気的に接続されたインバータと、を有し、
前記複数のモニター用発光素子のいずれか一がショートするときは、前記回路が前記モニター制御用トランジスタをオフとする電位を出力することを特徴とする発光装置。
【請求項７】
複数のモニター用発光素子と、
前記複数のモニター用発光素子が有する電極の電位の変化をモニターするモニター線と、
前記モニター線へ一定電流を供給する手段と、
前記複数のモニター用発光素子のそれぞれへ、前記モニター線からの電流供給を制御するためのモニター制御用トランジスタと、
前記モニター用発光素子の一方の電極とモニター制御用トランジスタの一方の電極が電気的に接続され、前記電気的に接続された電極の電位が入力され、出力が前記モニター制御用トランジスタのゲートに電気的に接続されたインバータと、を有し、
前記回路は、前記複数のモニター用発光素子のいずれもショートしていないときは、前記モニター制御用トランジスタをオンとする電位を出力し、前記複数のモニター用発光素子のいずれか一がショートするときは、前記回路が前記モニター制御用トランジスタをオフとする電位を出力することを特徴とする発光装置。
【請求項８】
各発光を呈する複数のモニター用発光素子と、
前記複数のモニター用発光素子が有する電極の電位の変化をモニターするモニター線と、
前記モニター線へ一定電流を供給する手段と、
前記複数のモニター用発光素子のそれぞれへ、前記モニター線からの電流供給を制御するためのモニター制御用トランジスタと、
前記モニター用発光素子の一方の電極とモニター制御用トランジスタの一方の電極が電気的に接続され、前記電気的に接続された電極の電位が入力され、出力が前記モニター制御用トランジスタのゲートに電気的に接続されたインバータと、を有し、
前記回路は、前記複数のモニター用発光素子のいずれもショートしていないときは、前記モニター制御用トランジスタをオンとする電位を出力し、前記複数のモニター用発光素子のいずれか一がショートするときは、前記回路が前記モニター制御用トランジスタをオフとする電位を出力することを特徴とする発光装置。
【請求項９】
請求項４乃至８のいずれか一において、
前記モニター線と入力が電気的に接続されるバッファアンプ回路を有し、
前記バッファアンプ回路の出力は画素部が有する駆動用トランジスタの一方の電極に電気的に接続され、前記モニター用発光素子の一方の電極の電位の変化に伴い、前記画素部が有する発光素子に印加する電圧を変化させることを特徴とする発光装置。
【請求項１０】
複数のトランジスタ及び複数の発光素子を有する画素部と、
前記複数の発光素子と同一工程により作製された複数のモニター用発光素子と、
前記複数のモニター用発光素子のそれぞれの一方の電極に電気的に接続された、モニター制御用トランジスタと、
前記モニター制御用トランジスタの他方の電極に電気的に接続されたモニター線と、
前記モニター制御用トランジスタのゲートに電気的に接続されたｐチャネル型の第１のトランジスタ及びｎチャネル型の第２のトランジスタと、
前記第２のトランジスタに電気的に接続されたｎチャネル型の第３のトランジスタと、を有することを特徴とする発光装置。
【請求項１１】
複数のトランジスタ及び複数の発光素子を有する画素部と、
前記複数の発光素子と同一工程により作製された複数のモニター用発光素子と、
前記複数のモニター用発光素子のそれぞれの一方の電極に電気的に接続された、モニター制御用トランジスタと、
前記モニター制御用トランジスタの他方の電極に電気的に接続されたモニター線と、
前記モニター制御用トランジスタのゲートに電気的に接続されたｐチャネル型の第１のトランジスタ及びｎチャネル型の第２のトランジスタと、
前記第１のトランジスタに電気的に接続されたｐチャネル型の第３のトランジスタと、
前記第３のトランジスタのゲートに、ゲートが電気的に接続され、かつモニター制御用トランジスタのゲートに、一方の電極が電気的に接続されたｎチャネル型の第４のトランジスタと、を有することを特徴とする発光装置。
【請求項１２】
各発光を呈する複数のトランジスタ及び複数の発光素子を有する画素部と、
前記複数の発光素子と同一工程により作製された複数のモニター用発光素子と、
前記複数のモニター用発光素子のそれぞれの一方の電極に電気的に接続された、モニター制御用トランジスタと、
前記モニター制御用トランジスタの他方の電極に電気的に接続されたモニター線と、
前記モニター制御用トランジスタのゲートに電気的に接続されたｐチャネル型の第１のトランジスタ及びｎチャネル型の第２のトランジスタと、
前記第１のトランジスタに電気的に接続されたｐチャネル型の第３のトランジスタと、
前記第３のトランジスタのゲートに、ゲートが電気的に接続され、かつモニター制御用トランジスタのゲートに、一方の電極が電気的に接続されたｎチャネル型の第４のトランジスタと、を有することを特徴とする発光装置。
【請求項１３】
請求項１０乃至１２のいずれか一において、
前記モニター制御用トランジスタはｐチャネル型であることを特徴とする発光装置。
【請求項１４】
モニター用発光素子と、
前記モニター用発光素子に電気的に接続されたモニター制御用トランジスタと、
インバータと、を有し、
前記インバータにより、前記モニター制御用トランジスタは前記モニター用発光素子がショートしたときオフとなることを特徴とする発光装置の駆動方法。
【請求項１５】
複数のトランジスタ及び複数の発光素子を有する画素部と、
前記複数の発光素子と同一工程により作製されたモニター用発光素子と、
前記モニター用発光素子に電気的に接続されたモニター制御用トランジスタと、
インバータと、を有し、
前記インバータにより、前記モニター制御用トランジスタは前記モニター用発光素子がショートしたときオフとなることを特徴とする発光装置の駆動方法。
【請求項１６】
複数のトランジスタ及び複数の発光素子を有する画素部と、
前記複数の発光素子と同一工程により作製されたモニター用発光素子と、
前記モニター用発光素子に電気的に接続されたモニター制御用トランジスタと、
前記モニター制御用トランジスタのゲートに出力端子が電気的に接続され、かつ前記モニター制御用トランジスタの一方の電極及び前記モニター用発光素子に入力端子が電気的に接続されたインバータと、を有し、
前記インバータにより、前記モニター制御用トランジスタは前記モニター用発光素子がショートしたときオフとなることを特徴とする発光装置の駆動方法。
【請求項１７】
複数のトランジスタ及び複数の発光素子を有する画素部と、
前記複数の発光素子と同一工程により作製されたモニター用発光素子と、
前記モニター用発光素子に、一方の電極が電気的に接続されたｐチャネル型のモニター制御用トランジスタと、
前記モニター制御用トランジスタの他方の電極に電気的に接続されたモニター線と、
前記モニター制御用トランジスタのゲートに出力端子が電気的に接続され、かつ前記モニター制御用トランジスタの一方の電極及び前記モニター用発光素子に入力端子が電気的に接続されたインバータと、を有し、
前記モニター制御用トランジスタを、前記モニター用発光素子がショートしたときオフとするため、前記モニター線の電位は飽和した後、前記インバータの高電位側の電位をＨｉｇｈとなることを特徴とする発光装置の駆動方法。